(57)【特許請求の範囲】
【請求項１】
連続のエラストマーコア層、及び、少なくとも１層の連続の非弾性の一軸配向プラスティック表皮層を含む異方性フィルムラミネートであって、前記フィルムラミネートは、前記の少なくとも１層の表皮層の配向方向に実質的に非弾性であり、前記表皮層は、前記配向方向に対する横断方向に延伸可能であり、このため、前記フィルムラミネートは前記横断方向に延伸可能であることを特徴とし、前記異方性フィルムラミネートは、連続のエラストマーコア層及び少なくとも１層の連続のプラスティック表皮層を含む弾性ラミネートを延伸し、その後、延伸されたラミネート全体に脱活性化熱処理を受けさせることにより得られる、異方性フィルムラミネート。
【発明の詳細な説明】
【０００１】
発明の分野
本発明は主として異方性フィルムラミネートに関する。
【０００２】
背景
エラストマーフィルムはしばらくの間使用されてきており、そして、使い捨ておむつ製品、例えば、乳幼児用おむつ及び成人の失禁用デバイスでのその用途に関して文献中で議論されている。これらのエラストマーウェブ又はフィルムは衣料品の本体に接触する部分に主として使用される。これらの弾性体の多くは制御された弾性回復性を付与するように温度処理される。おむつにおいて、例えば、弾性バンドは、通常、ウエストバンド部分に使用され、Reising らに付与された米国特許第4,681,580号及びLashの米国特許第4,710,189号に議論されている。これらの両方の特許は熱安定及び熱不安定の形のエラストマー材料に使用を記載している。この熱不安定の形は、材料の結晶温度及び二次相転移温度に加熱されたときに材料を延伸し、次いで、熱不安定に延伸された形で急速にクエンチして凍結させることにより作られる。熱不安定なエラストマーフィルムは、その後、例えば、おむつに適用されて、その後、加熱されて熱安定なエラストマーの形になる。
【０００３】
Bergerの米国特許第3,694,815 号は延伸され、緩和された弾性リボン衣料品に結合する方法を提案し、それは、通常の弾性リボンを延伸し、比較的に極端に低い温度( 例えば、周囲温度よりかなり低い) においてエラストマー材料を凍結させることによる。
【０００４】
英国特許出願第2190406A号は、シャーリングされるべき部材( 例えば、おむつ) にそれを結合する間、部材を硬質化させることにより、通常のエラストマーを延伸状態に維持することを提案した。硬質化は、その後、結合手順に次いで除去され又は止められる。上記のように、エラストマーは、最初に、延伸され、その後、部材が延伸された形で硬質化された部材に適用される。
【０００５】
Matrayらの英国特許第2,160,473 号は、高温で( 例えば、175°F、即ち、79.5℃以上で) 縮むであろうエラストマーを提案している。この材料の主張されている新規の特徴は、上記の熱収縮材料と比較して、それが、延伸の間に予熱又は冷却処理を必要とせず、差速ロール法(differential speed roll process) 又は「冷間圧延」により周囲温度において延伸されることができることである。提案されたポリマーは、ポリアミドポリエーテルブロックポリマーの交互セグメントを有するコポリマーであり、Pebax 、特に、Pebax グレード2533及び3533の商標名で市販されるものであった。
【０００６】
これらのエラストマーフィルムに関する問題は、延伸された弾性フィルムを軟質基材、例えば、使い捨ておむつに適用することから生じる困難性を含む。例えば、これらのフィルム弾性体は、軟質基材に、例えば、接着剤により付けられた後に、結合領域に剪断応力が掛かるであろう。このことにより、弾性体が、特に、繰り返し伸ばした後に、軟質基材から脱離することになりうる。
【０００７】
1991年10月10日に出願( 第WO91/107277 号、1991年5 月30日公開)の共通の譲受人を有する同時係属PCT 出願第US90/05783号において、少なくとも１層のエアラストマー層及び少なくとも1 層の表皮層を有するエラストマーラミネートであって、技術上、上記の幾つかの問題を訴えるもの、が開示されている。
【０００８】
同時係属出願の材料の多くの利点にも係わらず、幾つかの用途のための改善の余地がある。非エラストマーラミネートを、それが弾性的に回復し、そして、弾性的になることを可能にするであろう状態に活性化するために、ラミネートは、表皮層及びコアー層に有用と考えられる多くの材料にとって実質的な量で延伸されなければならない。更に、弾性体が衣料品に適用されるときに、一般に、衣料品を機能的に弾性化するのに充分な弾性力を提供するために同様に高い延伸比が必要である。このことは、低い延伸比が望ましい場合、例えば、衣料品のギャザリングの高いレベルが望ましくない場合、又は製造上の必要性により要求される場合の用途では問題がある。各領域に別個の離散した弾性要素を適用することなく、特定の領域においてのみ弾性を付与するであろう弾性体の必要性もあるであろう。
【０００９】
リボン又はテープの基材の特定の領域に弾性を得ることが望ましいことは米国特許第3,800,796 号、第4,834,820 号、第4,778,701号及び4,227,952 号に例示されており、それは、おむつ系における使用のために弾性の特定の領域を有するように設計された複合材材料の使用を開示している。しかし、これらの複合材は、複合材の多様な要素を結合するための複雑な構成メカニズム、及び/ 又はそれらの一般的な適用性を制限するその製造及び使用のための特別な手順を必要とする。
【００１０】
発明の要旨
本発明は主として異方性フィルムラミネートに関する。さらに、特許請求の範囲において請求される本発明の主題は異方性フィルムラミネートであるが、弾性領域と非弾性領域を有する多層エラストマーラミネートを参照しながら本発明を説明する。弾性領域と非弾性領域を有する多層エラストマーラミネートは特許請求の範囲において請求されているものではないが、以下において、多層エラストマーラミネートについても「本発明」と呼ぶことがある。というのは、多層エラストマーラミネートの非弾性領域は本発明の異方性フィルムラミネートと同等物であるからである。以下に説明されるように、異方性フィルムラミネートはエラストマーラミネートを延伸し、その後、弾性領域と非弾性領域を有する多層エラストマーラミネートの場合に要求される局所脱活性化熱処理を行なうのとは異なり、延伸されたラミネート全体にわたって脱活性化熱処理を行なうことで製造される。以下の説明は、基本的に、弾性領域と非弾性領域を有する多層エラストマーラミネートに関するものであるが、異方性フィルムラミネートの製造においても、局所脱活性化熱処理の代わりに全体にわたる脱活性化熱処理を行なうことで応用でき、本発明の異方性フィルムラミネートの製造についても、多層エラストマーラミネートの製造に関する教示から当業者に自明であることを理解されたい。
本発明は、向上した非粘着性の、ミクロテクスチャー化された(microtextured) 、多層のエラストマーラミネートに関する。本発明のラミネートは、ラミネートにエラストマー性を付与するエラストマーポリマーコア層及び1 層以上の表皮層を含む。ラミネートは、表皮及びコア層に選択されたポリマーの同時押出しにより、又は、既に形成された1 層以上の表皮層上に1 層以上のエラストマー層を適用することにより製造されうる。新規の、非粘着性のミクロテクスチャー化されたラミネートは、表皮層の弾性限界を越えて延伸すること、及び、ラミネートが延伸されている間に、所定の領域においてラミネートの弾性を選択的に脱活性化することにより得られる。その後、ラミネートは非脱活性化領域において長期間にわたって回復し、それは瞬間弾性回復であることができ、それは表皮層制御性であり、又は、熱の適用により回復し、それも表皮層制御性である。
選択的に脱活性化された領域は高い強度の非弾性領域を提供する。回復した領域はミクロテクスチャー化され、又は脱離した表皮層を有することができる。
【００１１】
発明の好ましい態様の詳細な説明
本発明は新規の非粘着性の多層のエラストマーラミネートに関し、それは、少なくとも1 層のエラストマーのコアー層及び少なくとも1 層の比較的非エラストマーの表皮層を含む。表皮層は、その弾性限界を越えて延伸され、そして、コア層とともに選択された非脱活性化された領域において回復されて弾性領域を形成する。ミクロテクスチャー( 微細組織) 又はミクロストラクチャー( 微細構造) は、ミクロテクスチャー化前にラミネートの不透明性に更に不透明性を増加するように、人間の裸眼で知覚されるのに充分であるピーク及び谷の不規則性又は襞を含む層であり、且つ、不規則性は人間の皮膚には滑らかであり、又は、柔軟であると知覚されるように充分に小さいことを意味する。ミクロテクスチャーの詳細を見るためには不規則性を拡大する必要がある。
【００１２】
エラストマーは、薄膜層に形成されることができ、且つ、周囲条件でエラストマー性を示すあらゆる材料を広く含むことができる。エラストマーとは、延伸後にその元の形状に実質的に戻るであろう材料を意味する。更に、好ましくは、エラストマーは変形及び緩和に次いで小さな永久歪みしか維持しないであろう。そしてその歪みは、好ましくは、中程度の延伸、即ち、約400 〜500%で、元の長さの20% より少量であり、そして、より好ましくは10% より少量である。一般に、比較的に非弾性の表皮層中で比較的一定の永久変形を起こすほどに延伸されることができるあらゆるエラストマーは許容される。このことは50% 伸び率まで低いことができる。しかし、好ましくは、エラストマーは室温で300%〜1200% までの延伸を、より好ましくは室温で600 〜800%までの延伸を経験することができる。エラストマーは純粋のエラストマー、及び、エラストマー相又は室温で実質的にエラストマー性を示すであろう内容物を含むブレンドの両方であることができる。
【００１３】
熱収縮性のエラストマーは本発明での使用に考慮されるが、選択された態様において、熱収縮性の利点を保持しながら、非熱収縮性エラストマーは使用されることができる。非熱収縮性とは、エラストマーが延伸されたときに、上記に記載のような小さい永久歪みしか維持しないで実質的に回復するであろうということを意味する。非熱収縮性のポリマーはA-B 又はA-B-A ブロックコポリマーとして当業者に知られるようなブロックコポリマーを含む。これらのブロックコポリマーは、例えば、米国特許第3,265,765 号; 第3,562,356号; 第3,700,633 号; 第4,116,917 号及び第4,156,673 号に記載されており、その物質を引用によりここに取り入れる。スチレン/ イソプレン、ブタジエン又はエチレン- ブチレン/ スチレン(SIS, SBS又はSEBS) ブロックコポリマーは特に有用である。他の有用なエラストマー組成物はエラストマーポリウレタン、エチレンコポリマー、例えば、エチレンビニルアセテート、エチレン/ プロピレンコポリマーエラストマー又はエチレン/ プロピレン/ ジエン・ターポリマーエラストマーを含む。これらのエラストマーの互いのブレンド又は変性する非エラストマーとのブレンドも考えられる。
【００１４】
粘度降下性ポリマー及び可塑剤もエラストマーとブレンドされてよく、例えば、低分子量ポリエチレン及びポリプロピレンポリマー又はコポリマー、又は粘着付与性樹脂、例えば、Goodyear Chemical Company から市販のWingtack（商標）の脂肪族炭化水素粘着付与剤とブレンドされてよい。粘着付与剤は、また、表皮層に対するエラストマー層の付着性を増加するために使用されうる。粘着付与剤の例は、脂肪族又は芳香族炭化水素液体粘着付与剤、ポリテルペン樹脂粘着付与剤、及び水素化された粘着付与性樹脂を含む。脂肪族炭化水素樹脂は好ましい。
【００１５】
染料、顔料、酸化防止剤、帯電防止剤、結合助剤、粘着防止剤、熱安定剤、光安定剤、発泡剤、ガラス泡、強化繊維、分解用の金属塩及びスターチ又は微細繊維もエラストマーコア層中に使用されてよい。
【００１６】
表皮層は、コア層よりも低い弾性であるあらゆる半結晶性又は非晶性ポリマーから形成されることができ、そして、エラストマーラミネートが経験するであろう延伸率で永久歪みを経験するであろう。それ故、若干、弾性の化合物、例えば、特定のオレフィン系エラストマー、例えば、エチレン- プロピレンエラストマー又はエチレン- プロピレン- ジエン・ターポリマーエラストマー又はエチレン系コポリマー、例えば、エチレンビニルアセテートは表皮層として、単独又はブレンドで使用されてよい。しかし、表皮層は、一般に、ポリオレフィン、例えば、ポリエチレン、ポリプロピレン、ポリブチレン又はポリエチレン- ポリプロピレンコポリマーであるが、全体的に、又は部分的にポリアミド、例えば、ナイロン、ポリエステル、例えば、ポリエチレンテレフタレート、ポリビニリデンフロリド、ポリアクリレート、例えば、ポリ（メチルメタクリレート)(ブレンドでのみ) 等、及びそれらのブレンドであることもできる。表皮層の材料は選択されたエラストマーのタイプにより影響されうる。図3 の態様において、表皮- コア層の接触は、次の3 種のモードが見つけられた。第一はエラストマーコア層及びミクロテクスチャー化表皮層の間で完全接触されている、第二はミクロテクスチャー化された表皮の襞で凝集破壊のコアと完全接触されている、及び、第三はミクロテクスチャー化された襞でコア/ 表皮の接着剤破壊であって、襞の谷で間欠的に表皮/ コア接触されている。
【００１７】
好ましくは、非弾性のコア層である、エラストマーのコア層との組み合わせで使用される表皮層は、ラミネートの少なくとも1 層の外側層を形成するであろう。外側又は内側層のいずれで使用されても、上記の3 モードのいずれかによりエラストマー層と接触したときに、表皮層はエラストマーラミネートの弾性を変性するであろう。
【００１８】
表皮層に有用な添加剤は、制限するわけではないが、鉱油エキステンダー、帯電防止剤、顔料、染料、不粘着剤、約15% より少量で提供された、分解用の金属塩及びスターチ及びエラストマーコア層で記載したような安定剤を含む。
【００１９】
他の層はコア層及び表皮層の間に加えられてよく、例えば、表皮層及びコア層の結合性を増加し、又は減少させる中間層は加えられうる。結合層は、この用途に使用される通常の化合物から形成され、又はそれと配合されてよく、前記化合物は、無水マレイン酸変性エラストマー、エチルビニルアセテート及びオレフィン、ポリアクリル酸イミド、ブチルアクリレート、ペルオキシド、例えば、ペルオキシポリマー、例えば、ペルオキシオレフィン、シラン、例えば、エポキシシラン、反応性ポリスチレン、塩素化ポリエチレン、アクリル酸変性ポリオレフィン及び酢酸及び無水酢酸官能基等を含むエチルビニルアセテートを含み、それらはブレンドで使用されてよく、又は、1 層以上の表皮層又はコア層中に相溶剤又は離層促進剤として使用されることもできる。
【００２０】
延伸及び選択的な脱活性化後のラミネートの収縮回復機構は、フィルム形成条件、エラストマー層の性質、表皮層の性質、ラミネートフィルムが延伸されるときの方法、及びエラストマー層及び表皮層の相対厚さに依存する。これらの変数を制御するとにより、ラミネートフィルムは瞬間回復する、時間をかけて回復する、又は加熱活性化時に回復するように設計されることができる。一般に、コア- 単一表皮層の比は少なくとも3 であり、好ましくは少なくとも5であり、そして約100 より小さく、そして、最も好ましくは少なくとも5 〜約75であろう。全体のラミネート厚さは少なくとも1 ミルであり、好ましくは少なくとも2 ミルであるが、好ましくはコストと性能を考慮して10ミルより薄いであろう。延伸され、そして、選択的に脱活性化された、瞬間収縮可能なラミネートは、エラストマーラミネートの延伸された、脱活性化されていない領域は1 秒間に15% を上回って回復するであろうというものである。時間収縮可能なラミネートは、15% 回復ポイントまで、延伸後、1 秒以上、好ましくは5 秒以上、最も好ましくは20秒以上かかるものであり、そして、熱収縮可能なラミネートは延伸後、最初の20秒間で15% 未満の収縮回復が起こり、そして、延伸後、数週間にわたって熱収縮することができるであろうというものである。パーセント収縮は、収縮量が延伸された長さ−活性化された領域の初期長さに対するパーセントである。熱収縮ラミネートに関して、実質的に熱活性化回復を開始するであろう活性化温度があるだろう。熱収縮ラミネートに使用される活性化温度は、一般に、全可能な回復の50% を生じる温度（Ｔa-50) であり、好ましくはこの温度は全可能な回復の90% を生じるであろう温度として定義される。全可能な回復は予備活性化収縮の量を含む。
【００２１】
一般に、表皮層が比較的に薄いときに、ラミネートは脱活性化されていない領域において即座に収縮し、又は回復する傾向があるであろう。表皮厚さが充分に厚くなると、ラミネートは、脱活性化されていない領域又は部分において、熱収縮可能になることができる。この現象は、エラストマー層が非熱収縮性材料から形成されているときでも起こりうる。エラストマー層及び表皮層の厚さの注意深い選択により、ラミネートが設定量で回復する温度は制御されうる。このことは、表皮制御された回復と呼ばれ、ここで、一般に、表皮の厚さ又は組成を変えることにより、実質的な程度でエラストマーコアの弾性回復活性化温度は上昇されることができ、一般に少なくとも10°F(5.6 ℃) 以上、好ましくは15°F(8.3 ℃) 以上、上昇されることができる。有効なあらゆる表皮厚さは使用されることができるが、厚すぎる表皮は延伸されたときにラミネートに永久歪を残してしまうだろう。一般に、単一の表皮はラミネートの30% 未満である場合、このことは起こらないであろう。殆どの熱又は時間収縮材料では、エラストマーラミネートの延伸された脱活性化されていない領域は冷却され、それにより、延伸の間に放出されたエネルギーは、即座の熱活性化弾性回復を起こさない。収縮回復メカニズムの微調整は、活性化された領域が延伸される程度により達成されうる。
【００２２】
同時係属出願第USSN07/438,593号のラミネート構造に対し、本発明のラミネート構造の改善は、薄い非弾性領域又はゾーンにより分離された選択された領域又はゾーンで、弾性を有するラミネートフィルムにある。弾性領域又はゾーンは表皮層上のミクロテキスチャー化された表面を特徴とし、又は、好ましい態様において、薄い非弾性領域又はゾーン中でエラストマー層に選択的に固定された薄い表皮層を特徴とする( 図4)。この好ましい態様において、弾性ゾーン又は領域12中の脱離された表皮層材料13により、エラストマーコア層14が表皮層13に弾性をもたらすことなしに非制限的に回復しうる。しかし、表皮層13は、基材に弾性体20を直接的に付着させる必要なしに、弾性化される基材に弾性体20を固定するための連続的な応力の掛かからない結合表面を提供する( 図6)。応力のかかった弾性体を基材に直接的に固定する通常の方法は厄介である。応力下での弾性体は、基材に結合されるときに、弾性体の脱離、弾性体の応力緩和又は弾性の減少をもたらすことができる剪断力を作る。図4の弾性体20は応力下にあるときには基材に直接的に結合されない。
【００２３】
図３の態様において、弾性領域12はミクロテクスチャー化され、機械的な剥離層を形成する傾向があるだろう。この態様の弾性体は、それ故、均一な接着剤コーティングとともに基材に適用されることができる。弾性領域は、その後、優先的に脱離し、それにより、弾性体は、非弾性ゾーン又は領域11において基材にしっかりと固定されたまま伸び、弾性的に回復することができるであろう。
【００２４】
押出しによるフィルムラミネート形成の好ましいメカニズムを図1 に示し、ここで、D 、D'及びD"はフィードブロック又はマニホールドである。D 、D'及びD"は別々でも、又は組み合わされても、又は、ダイE の一部分であってもよい。E は通常の多層ダイ又は米国特許第4,152,387 号又は第4,197,069 号(Cloeren) に開示のような混合アダプター及びダイである。示すように、フィードブロック又はマニホールドは多層ダイE の各層の通過路又はこのようなダイの単一の通過路( 例えば、フィードブロック領域に混合アダプターを有する) にフィードするために使用されうる。AA' 、BB' 及びCC' は押出機である。AA' 、BB' 及びCC' はフィードブロック又はマニホールドダイに押出しされる熱可塑性プラスティック材料のストリームである。E は3 層以上の( 例えば、5 層の) ダイであり、F は熱キャスティングロールであり、そして、G 及びH はラミネートの引取及び巻き取りを容易にするためのロールである。ニップローラーは提供されうる。
【００２５】
使用されるダイ及びフィードブロックは、通常、加熱されて、ポリマーの流れ及び層の接着性を促進する。ダイの温度は使用されるポリマー及び次の熱処理工程に依存する。一般に、ダイの温度は重要でないが、温度は一般には、例示のポリマーで、350 〜550 °F(176.7〜287.8 ℃) の範囲である。
ラミネートがコーティング、ラミネーション、逐次押出し、同時押出し又はそれらの組み合わせにより製造されようが、形成されたラミネート及びその層は、好ましくは、ラミネートを横切って実質的に均一の厚さを有する。このように製造されたラミネートは、最小の縁の効果、例えば、カール、弾性率変化、フレーイング等を伴って、一般に、均一の性質を有する。
【００２６】
形成後、ラミネートは表皮層の弾性限界を越えて延伸され、それは、変形する。延伸したラミネートは、その後、局所的に熱処理を受け、特定の領域又はゾーンにおいて、弾性体を選択的に緩和し、又は、脱活性化する。このことにより、局所的にランダムに処理した領域で配向した弾性体が、これらの領域又はゾーンにおいて寸法安定な弾性材料を形成することができる。この局所熱処理は変形した不安定な弾性体の応力を開放するために充分に長くなければならない。
【００２７】
この局所熱処理したラミネートは上記に議論したように、熱処理されていない又は脱活性化されていない領域又はゾーンにおいて、回復される。熱活性化回復では、熱活性化の固有温度は第一にラミネートの弾性層を形成するために使用された材料により決定される。しかし、いかなる特定のラミネートでも、活性化温度、例えば、T a-50又はT a-90はラミネートの表皮/ コア比を変化させること、% 延伸又は全体のラミネート厚さを調節すること、により調節されることができる。熱収縮ラミネートに使用される活性化温度は、一般に、少なくとも80°F(26.8℃) 、好ましくは少なくとも90°F(32.23℃) 、及び、最も好ましくは100 °F(37.8℃) 以上である。熱活性化可能なラミネートを形成するときに、延伸され、そして、局所的に熱処理されたラミネートは冷却ローラーでクエンチされ、そのことは、延伸の間に発生した熱が残りの活性化領域においてラミネート回復を早期活性化することを防ぐ。チルロール温度は活性化温度よりも低く維持される。
【００２８】
図2 は一軸延伸され、そして活性化され又は回復されたミクロテクスチャー化された領域において回復されたラミネートで変化しうる一般的な寸法の略図である。一般的なテクスチャーは一連の不規則な繰り返しの襞である。これらの変動値は総高さA-A'、ピークからピークの距離B-B'及びピークから谷の距離C-C'である。これらの変動値は一連のポリオレフィン/ スチレン- イソプレン- スチレン/ ポリオレフィンラミネートで測定された。A-A'、B-B'及びC-C'の一般的な範囲は記載された。総高さ(A-A')では、測定された範囲は0.79〜32ミル(0.02 〜0.81mm) であった。ピークからピークの距離(B-B')、即ち、襞周期では、測定された範囲は0.79〜11.8ミル(0.02〜0.30mm) であった。ピークから谷の距離(C-C')では、測定された範囲は0.04〜19.7ミル(0.001〜0.5mm)であった。
【００２９】
本発明により製造されたエラストマーラミネートは、表皮表面積の増加という観点で記載されることもできる。ミクロテクスチャー化されたラミネートが多くのテクスチャーを示す場合、表面積は実質的に増加するであろう。延伸比が増加すると、未延伸から延伸されそして回復されたラミネートの表面積% は増加するであろう。一般に、延伸され、そして回復された部分又は領域で、表皮表面積は50% 、好ましくは少なくとも100%、そして、最も好ましくは少なくとも250%増加するであろう。ミクロストラクチャー化したときに、又は表皮が弾性コアから脱着したときに、表面積の増加は直接的にラミネート表面の全体のロフト、テクスチャー及び感触に寄与する。
【００３０】
離層する傾向がある構造体では、活性化後の短い緩和又は熱処理は、望むならば、この傾向を打ち消すために使用されてよい。この短い熱処理工程は、エラストマー層及び表皮層の界面、特に弾性体ではミクロテクスチャー化された表皮層の襞の間に残留した不安定な配向を開放するであろう。熱処理は、一般に、エラストマーのガラス転移温度(Tg)より高く、ABA ブロックコポリマーのB ブロックのTgより高いが、表皮ポリマーの融点より低い。より低い熱処理温度は一般に充分である。熱処理は、一般に、熱処理温度によって0.1秒より長く、次いで、緩和された熱処理状態で室温に冷却されるであろう。市販のABA ブロックコポリマー( 例えば、Kraton（商標）1107) では、75℃より高い熱処理又は緩和温度は充分であると分かっている。弾性領域において表皮の脱離をもたらすことが好ましいならば、この熱処理は脱離の前には避けられるべきである。
【００３１】
図3 は、延伸されそして非弾性の脱活性化された領域11を作るために局所的に熱処理され、そして、弾性領域12において回復させたフィルムの例である。弾性体は、延伸方向を横切って延びているバンドとして局所的に熱処理された。しかし、局所熱処理及び脱活性化は延伸方向、多方向又はパターンにバンドで延びて、局所熱処理した脱活性化された領域又はゾーンが選択的に締めることができる弾性体を作ることができる。図3 において、弾性ラミネート10の弾性領域12はミクロテクスチャー化された表皮層を有する。
【００３２】
特定の態様において、表皮層は活性化された弾性領域12において選択的に脱離されて、例えば、離層熱処理と組み合わせてフィルムを加工することにより図4 の弾性領域12を形成することができる。この脱離プロセスは表皮層及びコア層の相対的な接着性及び、表皮層及びコア層の厚さによる。添加剤は離層を促進するように表皮及び/ 又はコア層に加えられてよく、例えば、層間界面を分離する傾向がある隣接層におけるポリマーと不相溶性の剥離剤又はポリマーである。例えば、A-B ブロックコポリマーコアに加えられたポリスチレン及び油は、ポリオレフィン表皮層の離層を促進し、一方、ポリオレフィン表皮層に加えられたエチレンビニルアセテート又はポリ- α- メチルスチレンも離層を促進することが分かった。
【００３３】
図4 は、表皮層13がエラストマーコア層14から選択的に脱離された態様を示す。局所的に熱処理された非弾性領域11において、配向した表皮層13はエラストマーコア層に強固に結合されたままであり、また、配向及び続く局所熱処理により強化される。領域11のエラストマーコア層14は、弾性領域12のエラストマーコア層と比較して薄い( 図3)。弾性領域12で脱離された表皮層13は上記に議論した問題となるエラストマー層14への基材の直接的な結合を避けながら弾性領域12で結合表面を提供する。
【００３４】
図4 の弾性体20も空気チャンネル15を提供する。これらのチャンネル15は、袖口又はおむつバンド又は足部バンドのような衣料品等の弾性化された領域に呼吸性を提供する。
【００３５】
図3 及び4 のラミネートは広く使い捨ておむつにおいて、例えば、ウエストレベルでおむつの前面又は側面部分に位置するウエストバンドとして、足部弾性体として、外側カバーシートとして、又は、弾性化されたスリップオンおむつ又はトレーニングパンツにおいて使用されることができる。ここで、エラストマーラミネートは、ぴったりフィットする衣料品を作るための弾性ゾーンを有するヒップ回りのサイドパネルとして、又は、その中で使用されうる。このラミネートは通常の方法により連続又は間欠的な長さで適用されうる。適用されるときに、離層された表皮( 例えば、図4 の態様) を有する弾性ラミネートの特定の利点は、極端に均一なシャーリングは、弾性領域12が延伸されるときに、実質的に平坦な非弾性領域11を有するラミネートを適用することにより容易に得られることである。弾性領域12が回復するときに、衣料の層18及び19は、表皮の離層を有する領域、即ち、弾性領域12においてのみシャーリングし、そして、弾性領域12において均一に( 即ち、単一ギャザーとして) シャーリングするであろう。このことにより、衣料品のシャーリングを予測できるように、そして容易に制御することができるようになり、それは従来のフィルム弾性体では不可能な性質であった。
【００３６】
同様の均一なシャーリングは、図3 で、弾性領域12において弾性ラミネートをゾーン剥離コーティングすることにより得られうる。剥離コーティングは通常の低接着性コーティングであることができ、又は、好ましい態様においては、油、例えば、鉱油であることができる。油は適用のコスト又は容易性のために好ましい。この油は、弾性体10がロールの形に巻かれるときに、従来のフィルムで予想されるようには、マイグレーションすることは見られなかった。油のマイグレーションは、油をコートした部分においてミクロテクスチャー化された表皮層表面により抑えられていると信じられる。
【００３７】
図3 及び4 に示すように、平坦な非弾性領域11を有する弾性ラミネートが衣料品に結合されるときに、この弾性体は、また、連続の弾性フィルムと比較して、弾性ラミネート10の低い伸びで向上した弾性応力を提供する。この配列での伸びの応力は優先的に、増加した弾性応力又は弾性力を比例的に提供する弾性領域に限定される。
【００３８】
エラストマーラミネートは超音波溶接、ヒートシール、接着剤、例えば、感圧接着剤により、従来法により接着されうる。接着は、少なくとも局所的に熱処理した非弾性領域11に優先的に起こるであろう。
【００３９】
本発明のラミネートの別の用途は、米国特許第3,800,796 号に記載の図5 に示した弾性化されたおむつ締結タブとしてであろう。選択的に脱活性化された非弾性末端領域7 及び弾性中央領域6 を提供しているが、弾性ゾーン6 は所望の位置で配置されることができる。その後、接着剤8 は非弾性末端領域の1 以上の面に適用されることができるであろう。
【００４０】
図7 のラミネートは、図4 のラミネートを使用した、弾性化された使い捨て衣料品、スリップオンおむつ又はトレーニングパンツにおいて外側カバーシート又は弾性パネルとしての使用に適切な構造体の例である。図3 のラミネートは図7(及び図8 〜16) に示した構造体にも使用されうる。弾性ラミネート構造体30の弾性部分21及び23は、着る人のヒップ回りに弾性化されたサイドパネルを形成するように結合されるであろう。非弾性部分22は非弾性領域11と同様に形成され、そして、末端で吸収性パッドに結合され、好ましくは、吸収性パッド用の液体不透過性の外側カバー層に結合される。別には、非弾性部分22は弾性化されたおむつ又はトレーニングパンツの吸収性パッド構造上に液体不透過性の外側層を提供することができる。好ましい態様において、弾性ラミネート30は、ラミネートの少なくとも1 つの面に結合した不織布層24を更に含み、弾性材料を強化し、又は、柔軟性を付与する。
【００４１】
図8 は、例えば、図7 に記載の弾性ラミネートを使用した可能な構造体、又は図3 の弾性ラミネートを使用したバージョンであって、それにラミネートされた不織布層を含む、又は、含まない可能な構造体を例示する。ラミネート40は、図8 に示すような使い捨て衣料品にウエストの弾性化を提供するように任意に弾性体44及び43が提供された別々の単位に切断されうるような連続ウェブであろう。図8 は、衣料品は更に部分41及び42を切断することにより変換されて、着用者の足部を提供する。
【００４２】
別の態様が図9 に描かれ、ここで、更なる非弾性領域51及び52がシール可能な片として弾性領域21及び23の外側縁上に提供される。図8 及び図9 のラミネートは、図10に示すように、衣料品に形成されることができ、それは図11に示すような構造体であることができ、ここで、ラミネート40又は50の外側縁61又は62はサイドシーム63でシールされて、弾性部分21又は23の結合により形成された弾性のサイドパネルを有するパンツ型衣料品を形成する。吸収性パッドをラミネートの非弾性領域22付近に置き、それは、通常の液体透過性の内部層又はトップシート65により更に覆われ、それは、弾性ラミネート40又は50の内面をも覆うことができる。吸収剤64はあらゆる通常の手段によりラミネートに適用されることができ、例えば、トップシート65を結合するためにも使用されうるホットメルト接着剤の使用を含む。
【００４３】
おむつ又はトレーニングパンツ中に図7 に示すようなラミネートを使用する別の態様は、図12に描かれている。この態様において、吸収性パッドは液体透過性のトップシート65と液体不透過性のカバーシート66の間に挟まれ、複合材構造体60を形成する。図7 に示すように、弾性ラミネート片の中央の非弾性領域22は、その後、パッド複合材構造体60の第一の前方末端部分74に結合され、好ましくは液体不透過性の外側シート66に結合される。弾性領域21及び23の外側の長手方向の側縁71及び72は、その後、従来の方法により結合領域73でパッド複合材構造体60の対面後方末端部分75に結合される。側縁71及び72は弾性であっても、又は非弾性であってもよいが、好ましくは、接着性を向上させるために非弾性である。側縁71及び72は不織布トップシート65の外側面、又は、液体不透過性の外側シート66に接着されてもその間に挟まれてもよい。好ましくは、縁71及び72は、図12のように、液体不透過性外側シート66外側面に接着される。弾性パネル70の幅は、図10及び11に示すように、長手方向のシーム63に沿ったラミネート40及び50の幅と同様である。別には、非弾性領域22は吸収性パッド複合材60の対面後方末端部分75に結合されることもでき、縁71及び72がパッド複合材60の第一の前方末端部分74に結合されている。
【００４４】
図13及び14( 弾性バンド80は詳細を示すように拡大されている)は別の態様を示し、ここで、弾性複合材は吸収性パッド複合材60の前方部分81に結合され、取り外し可能であり又は再シール可能である。吸収性パッド複合材60は足部弾性体86及び87並びにウエスト弾性体88及び89を有する。弾性バンド80の非弾性領域22は吸収性パッド複合材60の後方末端75で液体不透過性の外側カバーシート64に結合される。弾性領域21及び23の外側側縁で、結合領域82及び83が提供され、それは好ましくは非弾性である。結合領域82及び83上に、第一の結合手段85及び84の対が提供され、それは、吸収性パッド複合材60の前方末端74で、1 個以上の第二の補助結合手段81で取り外し可能なように結合される。第一の結合手段84及び85は通常の結合手段、例えば、感圧接着剤パッチ、機械ファスナーパッチ又は凝集接着剤パッチの手段であることができる。締結タブも( 示していない) 使用されてよく、ここで、タブは片末端で結合領域(82 又は83)に永久結合され、そして、末端で結合手段(84 又は85) を有する。補助結合手段81は結合領域82及び83( 例えば、プラスティックランディングストリップ又はさもなければ、必要ならば、液体不透過性バックシート64の強化部分) 上の感圧接着剤に適合した適切な領域を含む。ゾーン81は85上の機械締結要素に補助的な機械締結要素、又は、適切に適合した凝集性接着剤をも含む。好ましくはないが、弾性ラミネートバンド80は吸収性パッド60の後方末端75に剥離可能なように結合されることができ、ここで、非弾性領域22は吸収性パッド60の前方末端74に永久付着する。
【００４５】
図15及び16( 弾性バンド90は詳細を示すために拡大されている)は、結合手段として締結タブ91を有する弾性ラミネートバンド90を使用する、取り外し及び再シール可能なパンツデザインの別のバージョンを示す。締結タブ91は弾性ラミネートバンド90の結合領域92の第一末端93で永久に付着され、この領域は好ましくは非弾性である。この永久結合は、通常の手段、例えば、接着結合、ヒートシール又は超音波溶接により達成されうる。締結タブ91の末端94は弾性バンド90の対面弾性部分(21 又は23) の外面と係合する適切な結合手段を有する。対面弾性部分のいずれかは締結手段( 例えば、吸収性パッド複合材を係合する感圧接着剤パッチ又はタブ) をも有する。好ましくは、末端94でのこの結合手段は雄型機械締結要素を含み、それは、図7 に示すように、弾性バンド90の外側表面にラミネートされた不織布又は有孔材料と剥離可能なように係合するであろう。感圧接着剤も結合手段として締結タブ91の末端94上で使用されうる。
【００４６】
本発明の更なる態様は、第一軸の方向に非弾性であり、且つ、該第一軸と直交する軸の方向には弾性又は延伸可能である異方性フィルムラミネートである。このフィルムの第一軸における非弾性の性質は、連続のエラストマーコア層及び少なくとも１層の連続のプラスティック表皮層を含む弾性ラミネートを延伸し、その後、単なる局所脱活性化熱処理でなく、延伸されたラミネート全体に脱活性化熱処理を受けさせることにより得られる。表皮層は、その後、延伸方向又は軸に配向されそして強化され、そして、この軸の方向に実質的に非延伸性とすることができる。一方、第一軸と直交する方向又は横断方向にフィルムを延伸しそして回復させるならば、フィルムはその方向に容易に延伸可能又は弾性になる。このような異方性は、フィルムが1 方向に強固であるが横断方向に順応性があることが望まれる用途に特に良好に適切である。例えば、管継手又はねじ山のような不均一表面に適用されるシール用感圧接着剤テープは、直径の変化に係わらず、全ての表面を閉止的に係合するように横断方向に有利に順応性があり、それでも長手方向に強固である。
【００４７】
次の実施例はここに考えられる好ましい態様及び本発明の実施の最良のモードを例示するために提供されるが、それを制限することを意図しない。以下において、弾性領域と非弾性領域を有する多層エラストマーラミネートの製造等について記載しているが、本発明の異方性フィルムラミネートは、延伸されたラミネートを全体にわたって脱活性化熱処理を施すことによって、同様に製造されうることは当業者に自明であることを理解されたい。
【００４８】
例
2 層の外側の非弾性の表皮層及び1 層のエラストマーのコア層をを有する3 層フィルムラミネートを製造するために連続同時押出し法を用いた。1 機の押出機はエラストマーのコア層の材料をフィードするために使用され、そして、もう1 機の押出機は、非弾性の表皮層材料を3 層Coeren（商標）フィードブロック中にフィードするために使用された。得られた層状のメルトは単一マニホールドフィルムダイから押出しされ、キャストロール上にキャストされた。フィードブロック及びダイの温度は約400 〜540 °F(204 〜282 ℃)であり、キャストロール温度は約70〜180 °F(21〜82℃) であった。線速度は平均で約30フィート(9.14m) / 分であった。フィルムラミネートの総厚さは3 〜10ミル(0.076〜0.254mm)であり、コア/ 表皮(C/S) 比は4:1 〜10:1に変化した。フィルム組成物、フィードブロック及びダイ温度、キャストロール温度、C/S 比及び総フィルム厚さ( ミルで) を表1 に提供する。
【００４９】
局所熱処理を使用して非弾性領域又はゾーンを弾性ラミネート上に作った。3 インチ(7.62cm)幅の試料のフィルムは、第一に横方向(TD)に約3:1 〜6:1 の比で延伸され、その後、パターン化された熱ロール上を通過し、それにより、フィルムの機械方向(MD)に走る平行な長手方向の非弾性領域のバンドとなった。加熱温度は約150 〜180 °F(66〜82℃) であった。
【００５０】
サイクル延伸/ 加熱過程を使用して、フィルムラミネートの弾性化領域において外側の非弾性表皮層をエラストマーコア層から離層を行った。1.0 インチx3.0インチ(2.54cmx7.62cm) 試料(MDXTD) のフィルムを破断寸前まで横方向に延伸し(95 〜150%) 、それは局所的に熱処理していない領域を活性化した。その後、フィルムをヒートガンにより供給された熱風(140°F 即ち、60℃) のストリーム中に入れた。フィルムは、弾性化された領域が完全に収縮されるまで加熱され、そして温められた(<1 分) 。その後、フィルムを熱から取り出し、破断寸前まで横方向に手で延伸し、そして、その後、直ぐに回復させた。フィルムを再び加熱し(<1 分) 、その後、横方向に循環的に延伸し、直ぐに開放した。この加熱／延伸過程は離層の観測まで繰り返され、又は、離層は起こりえなかった。3 〜10サイクル後に起こる離層は優れていると考えられた。離層の程度は視覚的に評価され、そして、離層なし(0) 、離層困難(1) 、良好な離層(2) 、容易に離層、即ち、優れている(3) 、及び非常に容易に離層(4) と分類した。離層観測を表IIに与える。
【００５１】
【表１】
0004202633.tif 000002
【００５２】
【表２】
0004202633.tif 000003
【００５３】
【表３】
0004202633.tif 000004
【００５４】
Instron （商標） 1122 Tensile Tester(Instron Corporationから入手可能) を使用して、引張及び伸びデータ(ASTM D-638 及びD-412)を試料で得た。0.5 インチx3.0インチ(1.27cmx7.62cm) 試料を2 インチ(5.08cm)ゲージ長さで置き、12インチ(30.5cm)/ 分の速度で延伸した。引張及び伸びデータを表IIに与える。
【００５５】
【表４】
0004202633.tif 000005
【００５６】
【表５】
0004202633.tif 000006
【００５７】
表I において次の略語を使用して、表皮及びコア層に使用した材料を示す。
PP 3085 はExxon Corporation から入手可能な36MFI のポリプロピレン、Escorene（商標）3085である。
PP 3445 はExxon Corporation から入手可能な35MFI のポリプロピレン、Escorene（商標）3445である。
PP 1024 はExxon Corporation から入手可能な12MFI のポリプロピレン、Escorene（商標）1024である。
LDPE 4012 はDow Chemical Companyから入手可能な低密度ポリエチレン#4012 である。
HDPE 52053はDow Chemical Companyから入手可能な高密度ポリエチレン#52053である。
K-1657はShell Chemical Companyから入手可能なスチレン- エチレン- ブチレン- スチレン(SEBS)ブロックコポリマー、Kraton（商標）G-1657である。
K-1107は Shell Chemical Company から入手可能なスチレン- イソプレン-スチレン(SIS)ブロックコポリマー、Kraton（商標）1107である。
PU 2102-75A はDow Chemical Companyから入手可能なポリウレタン、Pellanthane （商標）2102-75Aである。
PS-G3 はAmoco Oil Company から入手可能なポリスチレン#G3 である。
PS-666はDow Chemical Companyから入手可能なポリスチレン#666である。
PS-615はDow Chemical Companyから入手可能なポリスチレン#615である。
EVA 260 はE.I. duPont de Nemours and Companyから入手可能なエチレン- ビニルアセテートコポリマー、Elvax （商標）660 である。
PAMS 18-290 はAmoco Oil Company から入手可能なポリ( α- メチルスチレン)#18-290である。
Irganox （商標）1076はCiba-Geigy Corporationから入手可能な酸化防止剤である。
Amoco （商標）White Mineral oil #31USPはAmoco Oil Companyから入手可能な鉱油である。
【００５８】
例1 及び例2 は2 層のポリプロピレンの外側の非弾性層、2 層及び、スチレン- エチレン- ブチレン- スチレン(SEBS)ブロックコポリマーのエラストマーのコア層、1 層を有するフィルムラミネートである。2 種の異なるポリプロピレンを使用した。非弾性の表皮層は、非弾性の表皮層としてPP 3085 を有するフィルムラミネートの弾性化された領域において、エラストマーのコア層から脱ラミネートしたが、離層は困難であった。非弾性の表皮層としてPP 1024 を有する試料では離層は観測されなかった。例3 〜12は、エラストマーのコア層への剛化剤であるポリスチレンの添加は離層を促進することを示す。例4 〜6 は、エラストマーのコアに加えられるポリスチレンの量を変化させることの効果の例である。フィルムラミネートの離層特性又は弾性特性に対する実質的な効果は、ポリスチレンの量を10〜20重量% に変化させることによっては観測されなかった。例8 〜10において、キャストロール温度を80〜180 °F(27〜82℃) に変化させた。キャストロール温度を120 °F(49℃) より上げると、離層に影響を与えなかった。
【００５９】
例13〜19はPP 3085 ポリプロピレンの外側の非弾性層、2 層、及び、スチレン- イソプレン- スチレン(SIS) ブロックコポリマーのエラストマーのコア層、1 層、を有するフィルムラミネートであって、コア中に10重量% のスチレンを有する。これらの試料について、表皮層は容易にエラストマーのコア層から脱ラミネートした。これらの試料は、また、フィードブロック及びダイ温度を上げることはフィルムラミネートの離層性に影響を与えないことを示す。
【００６０】
例7 、8 、21及び22は、より高いコア: 表皮比(7:1) を有するフィルムラミネートが、より低いコア: 表皮比(5:1) を有するものより容易に脱ラミネートすることを示す。
【００６１】
例23及び24はエラストマーのコアに鉱油を加えることの効果を示す。これらの試料はいかなる油添加剤をも含まないエラストマーコアを有する試料よりも容易に脱ラミネートした。
【００６２】
例25及び26はポリエチレンの外側の非弾性層、2 層、及び、スチレン- イソプレン- スチレン(SIS) ブロックコポリマーのエラストマーのコア層であって、コア中で10重量% のポリスチレンを有するコア層、1 層を有するフィルムラミネートである。高密度ポリエチレン及び低密度ポリエチレンの表皮層としての使用を調べた。表皮層は、これらの試料では、エラストマーのコア層から容易に離層した。
【００６３】
例27〜32は、5 及び10重量% のエチレンビニルアセテートコポリマーのポリプロピレン表皮層への添加が離層を促進することを示す。例29及び30の例31及び32に対する比較は、また、エラストマーコアがスチレン- イソプレン- スチレンブロックコポリマーであるときに、コアがスチレン- エチレン- ブチレン- スチレンであるときよりも離層が容易に起こることを示す。  例29及び33は、10重量% のポリ( α- メチルスチレン) のポリプロピレン表皮層への添加が離層を促進することを示す。
【００６４】
例34はポリプロピレンの外側の非弾性層、2 層、及び、ポリウレタンのエラストマーコア層、1 層を有するフィルムラミネートである。この試料は良好な離層特性を示す。
【００６５】
例35
次の特徴を有する弾性フィルムラミネートを例11と同様に製造した。
表皮組成物  : PP 1024
コア組成物  : K-1107
コア中の添加剤 : 20%PS G-181及び0.5%Irganox （商標）10102
C/S 比 : 7.25
フィルム厚さ:2.5ミル(62.5 ミクロン)
1 Amoco Oil Company から入手可能なAmocoポリスチレン#1-G18-C7。
2 Ciba-Geigy Corporationから入手可能な酸化防止剤
【００６６】
このフィルムラミネートを約6:1 の比で横方向に延伸し、その後、パターン化された熱ロール(88 ℃) 上を通過させた。このことは、フィルムの機械方向に走る、非弾性領域及び弾性領域の交互の平行な長手方向のバンド( 約1.5mm 幅) をもたらした。上記に記載の繰り返しの延伸及び熱加工を使用して、フィルムラミネートの弾性化された領域においてエラストマーのコア層からの外側の非弾性の表皮層の離層を行った。
【００６７】
その後、フィルムラミネートを横方向に100%延伸し、使い捨ておむつカバー材料に使用される典型的な不織布ウェブ(17g/m2 基本重量のポイント結合されたスパンボンドのポリプロピレン) を、アクリレートベースの接着剤転写テープ(3M Company から入手可能な#950) を使用して、フィルムラミネートの片面にラミネートした。
【００６８】
機械方向の引張強度データは、Instron （商標）1122引張試験機を使用して弾性フィルム/ 不織布ラミネートに関して得られた。試験はASTM D-882の変形であった。1 インチx3インチ(2.54cmx7.62cm)の試料を2.0 インチ(5.08cm)ゲージ長さで置き、そして、20インチ(50.8cm)/ 分の速度で延伸した。6 試料が試験された。データは35〜45% 延伸で、5300〜6000g/インチ(2.09 〜2.36kg/cm)幅の範囲であった。比較のために、引張強度データが典型的なおむつバックシート材料である1.5 ミル(37.5 ミクロン) 厚さのポリエチレンフィルム(Clopay から入手可能) で得られた。値は、400%延伸で1188g/インチ(0.47kg/cm) 幅〜730%延伸で1960g/インチ(0.77kg/cm) の範囲であった。
【００６９】
例36
上記の例35で製造した約8 in2 (20.3cm2) の弾性フィルムラミネート片を横方向に100%にまで延伸し、そして、4 インチ幅の中央の長手方向のゾーンは脱活性化熱処理( 約93℃で1 分間) を受けた。これにより、中央のゾーンの両側に隣接した弾性化された領域を有する非弾性の中央の領域を有するフィルム試料が生じた。
【００７０】
本発明の弾性フィルムラミネートにおいて、以下のものが挙げられる。
１．第一の厚さの第二の厚さに対する比が、少なくとも３であり、または、少なくとも５である。
２．第一及び第二の厚さの合計が、全ての層で、少なくとも１ミルであり、または、少なくとも２ミルであり、または、少なくとも１０ミルである。
３．少なくとも１層の表皮層がポリオレフィンである。
４．少なくとも１層のエラストマー層が共役ジエンのエラストマーブロックを有するブロックコポリマーエラストマーである。
５．少なくとも１層のエラストマー層がポリウレタンである。
６．上記共役ジエンがイソプレンである。
７．エラストマー層が０〜２０％のポリスチレンポリマーを含む。
８．エラストマー層の共役ジエンがエチレン−ブチレンを含み、且つ、エラストマー層が更に５〜２０％のポリスチレンポリマー又は２〜１０％の油を更に含む。
９．表皮層が２〜２０％のエチレンビニルアセテート又は０〜２０％のポリα−メチルスチレンとブレンドされたポリエチレン又はポリプロピレンを含む。
１０．非弾性領域が実質的に平坦であり、且つ、表皮層が第一の方向に配向されており、フィルムラミネートが前記弾性領域において前記第一の方向に弾性である。
１１．弾性フィルムラミネートが感圧接着剤層を更に含む。
１２．弾性フィルムラミネートが前記表皮層上の弾性領域において低接着性の裏糊付け層を含む。
１３．前記表皮層上の弾性領域において低接着性の裏糊付け層が油を含む。
１４．感圧接着剤が非弾性領域にある。
１５．前記表皮層上の弾性領域において低接着性の裏糊付け層を含む。
１６．弾性フィルムラミネートが横断方向に弾性である。
本発明の異方性ラミネートにおいて、以下のものが挙げられる。
１．感圧接着剤層を更に含むテープを含む。
本発明の使い捨て吸収性衣料品において、以下のものが挙げられる。
１．中央の非弾性部分（２２）が吸収性コア構造体の液体不透過性外側層を形成している。
２．弾性部分がその外側縁でシール可能な片として非弾性領域（５１及び５２）を更に含む。
３．弾性部分が、各弾性部分（２１及び２３）上の切り抜き部分（４１及び４２）により足部開口部を提供する。
４．各弾性領域の対面外側縁（６１又は６２）が、サイドシーム（６３）を形成し、２つの対面弾性サイドパネルを提供する。
４．弾性フィルムラミネートが、第一の末端（７５又は７４）で非弾性部分（２２）において吸収性コア構造体に結合され、且つ、弾性部分（２１又は２３）の外側縁（７１又は７２）においてコア構造体の第二の対面する末端（７５又は７４）に結合された片である。
５．非弾性部分（２２）が第一の末端で吸収性コア構造体の液体不透過性外側層に永久結合され、且つ、弾性部分（２１又は２３）の外側縁（７１及び７２）で吸収性コア構造体の対面末端に取り外し可能なように結合される。
６．弾性部分（２１及び２３）の外側縁が非弾性結合領域（８２及び８３）を有し、各々が第一の結合手段（８５又は８４）を有し、これが、吸収性パッド構造体の第一の末端で、第二の補助結合手段（８１）に取り外し可能なように結合される。
７．第一の結合手段が感圧接着剤の結合手段を含む。
８．第一の結合手段が機械結合手段を含み、且つ、補助結合手段（８１）が補助的な機械結合手段を含む。
９．第一の結合手段が凝集接着剤（cohesive adhesive)の結合手段を含み、且つ、補助結合手段（８１）が補助的な粘着性接着剤を含む。
１０．弾性部分（２１又は２３）の外側縁が第一の末端（９３）において結合領域（９２）に永久結合された締結タブ９１を有する結合領域（９２）を有し、且つ、第二の末端（９４）において対面弾性部分（２１又は２３）に取り外し可能なような付着する取り外し可能な結合手段を有する。
１１．取り外し可能な結合手段が、雄型の機械締結要素を含み、且つ、弾性バンド（９０）が雄型の機械締結要素と係合しうる外側面に付着した不織布材料を備えている。
１２．ラミネートの弾性部分は、少なくとも１つの弾性領域で表皮層及びコア層が脱着されている。
１３．非弾性領域が実質的に平坦であり、且つ、表皮層が第一の方向に配向しており、フィルムラミネートが前記の弾性領域において前記の第一の方向に弾性である。
本発明のエラストマーフィルムラミネートの形成方法において、以下のものが挙げられる。
１．回復の前に延伸されたラミネートを冷却して、熱収縮性ラミネートを形成させる。
２．繰り返しの延伸及び加熱により、弾性ラミネートの回復した非熱処理弾性領域で表皮層及びコア層を選択的に離層する。
【図面の簡単な説明】
【図１】本発明のラミネートを同時押出しするために使用される方法及び装置の略図である。
【図２】本発明のフィルムを1 軸延伸することにより生じる微細構造を有するラミネートの断面セグメントである。
【図３】本発明の表皮の態様の透視図である。
【図４】本発明の離層された表皮の態様の透視図である。
【図５】本発明のラミネートから形成されたおむつテープタブである。
【図６】おむつ中に現れるであろう態様の図4 の末端図である。
【図７】図4 のような離層された表皮の態様の透視図であり、弾性のサイドパネルを有する使い捨てトレーニングパンツとして適切であるような大きな中央の非弾性領域を有する不織布にラミネートされた図である。
【図８】図7 において、大きな非弾性領域を有するラミネートの平面図である。
【図９】非弾性の外側縁領域を有する図8 の態様の別の態様である。
【図１０】外側カバーシートとして本発明のラミネートを使用したトレーニングパンツの透視図である。
【図１１】外側カバーシートとして本発明のラミネートを使用したトレーニングパンツの平面図である。
【図１２】外側カバーシートとして本発明のラミネートを使用したトレーニングパンツの別の態様の平面図である。
【図１３】外側カバーシートとして本発明のラミネートを使用した再シール可能なトレーニングパンツの透視図である。
【図１４】開放状態における図13のトレーニングパンツの平面図である。
【図１５】外側カバーシートとして本発明のラミネートを使用した再シール可能なトレーニングパンツの別の態様の透視図である。
【図１６】外側カバーシートとして本発明のラミネートを使用した図15の別の態様の平面図である。
【図１】
0004202633.tif 000007
【図２】
0004202633.tif 000008
【図３】
0004202633.tif 000009
【図４】
0004202633.tif 000010
【図５】
0004202633.tif 000011
【図６】
0004202633.tif 000012
【図７】
0004202633.tif 000013
【図８】
0004202633.tif 000014
【図９】
0004202633.tif 000015
【図１０】
0004202633.tif 000016
【図１１】
0004202633.tif 000017
【図１２】
0004202633.tif 000018
【図１３】
0004202633.tif 000019
【図１４】
0004202633.tif 000020
【図１５】
0004202633.tif 000021
【図１６】
0004202633.tif 000022